(57)【要約】 【課題】  ＩＥＥＥ１３９４インタフェースと他のインタフェースとを備えた再生装置において、ユーザが出力インタフェースを切り替えなければならない煩雑さを解消する。【解決手段】  再生装置１０は、Ａ＆Ｍプロトコルを用いるＩＥＥＥ（Institute of Electrical and Electronics Engineers）１３９４インタフェース部２２と、音声信号及び映像信号の少なくともいずれか一方を出力可能な他のインタフェース部２４と、前記ＩＥＥＥ１３９４インタフェース部２２から音声信号出力開始の制御コマンドを受け付けた場合に、前記ＩＥＥＥ１３９４インタフェース部２２から音声信号出力を可能とするとともに、前記他のインタフェース部２４からの信号出力を不可とするよう制御する制御部２６と、を備える。【選択図】  図１
2007200415.tif 000002
【特許請求の範囲】
【請求項１】
Ａ＆Ｍプロトコルを用いるＩＥＥＥ（Institute of Electrical and Electronics Engineers）１３９４インタフェース部と、
音声信号及び映像信号の少なくともいずれか一方を出力可能な他のインタフェース部と、
前記ＩＥＥＥ１３９４インタフェース部から音声信号出力開始の制御コマンドを受け付けた場合に、前記ＩＥＥＥ１３９４インタフェース部から音声信号出力を可能とするとともに、前記他のインタフェース部からの信号出力を不可とするよう制御する制御部と、
を備える、ことを特徴とする再生装置。
【請求項２】
前記制御部は、前記ＩＥＥＥインタフェース部からの音声信号出力が停止しているとき、前記ＩＥＥＥインタフェース部を音声信号出力不可とするよう制御する、
ことを特徴とする請求項１に記載の再生装置。
【請求項３】
前記他のインタフェース部は、デジタルの音声及び映像信号とともに制御コマンドの転送が可能なインタフェースから構成され、
前記ＩＥＥＥ１３９４インタフェース部及び前記他のインタフェース部のいずれか一方から音声信号出力開始の制御コマンドを受け付けた場合に、前記制御部は、該制御コマンドを受け付けた当該一方のインタフェース部からの音声信号出力を可能とするとともに、他方のインタフェース部からの音声信号出力を不可とするよう制御する、
ことを特徴とする請求項１又は２に記載の再生装置。
【請求項４】
前記一方のインタフェース部からの音声信号出力中に、前記他方のインタフェース部から音声信号出力開始の制御コマンドを受け取ったとき、前記制御部は、前記他方のインタフェース部からの音声信号出力に切り替えるよう制御する、
ことを特徴とする請求項３に記載の再生装置。
【請求項５】
Ａ＆Ｍプロトコルを用いるＩＥＥＥ（Institute of Electrical and Electronics Engineers）１３９４インタフェースと、音声信号及び映像信号の少なくともいずれか一方を出力可能な他のインタフェースと、を備える再生装置における再生方法であって、
前記ＩＥＥＥ１３９４インタフェースから音声信号出力開始の制御コマンドを受け付けた場合に、前記ＩＥＥＥ１３９４インタフェースから音声信号出力を可能とするとともに、前記他のインタフェースからの信号出力を不可とする、ことを特徴とする再生方法。
【発明の詳細な説明】
【技術分野】
【０００１】
本発明は、ＩＥＥＥ（Institute of Electrical and Electronics Engineers）１３９４及び他のインタフェースにより他機器に接続される再生装置の技術に関する。
【背景技術】
【０００２】
近年、ＩＥＥＥ１３９４規格やＨＤＭＩ（High Definition Multimedia Interface）規格に対応したＡＶ（Audio Visual）アンプ、テレビ、光ディスクプレーヤ等のＡＶ機器が利用されるようになってきている。ＨＤＭＩやＩＥＥＥ１３９４によれば、ネットワークを介してＡＶ機器間で映像及び音声デジタル信号の転送が可能であるとともに、遠隔制御用の制御信号（コマンド）の転送も可能である（例えば、特許文献１〜３参照）。
【０００３】
例えば、ＩＥＥＥ１３９４やＨＤＭＩを用いて、光ディスク再生装置をＡＶアンプやテレビ等と接続することにより、映像信号に加えてマルチチャンネルの音声信号をデジタルデータのままで再生装置から他機器に伝送することができる。また、ＡＶアンプやテレビから、再生装置の再生・停止等を制御する制御信号を送ることが可能である。
近年のデータフォーマットは多種多様であり、このようなＩＥＥＥ１３９４やＨＤＭＩといった複数のインタフェースを備えるＡＶ機器は、汎用性が高くユーザにとって好ましい。
【０００４】
ＩＥＥＥ１３９４規格には、デジタル音声信号の伝送に適したＡ＆Ｍプロトコル（Audio and Music Data Transmission Protocol）が規格化されている。Ａ＆Ｍプロトコルでは、ＩＥＥＥ１３９４を介して接続された２つの機器間において、高品質のデジタル音声信号の伝送が行われる。Ａ＆Ｍプロトコルは、例えば、ＤＶＤ−Ａｕｄｉｏ（Digital Versatile Disc-Audio）、ＳＡＣＤ（Super-Audio Compact Disc）から再生された高品質のマルチチャンネルデジタル音声信号の伝送に有効であり、多くの機器で採用されている（例えば、特許文献４及び５参照）。
【０００５】
Ａ＆Ｍプロトコルでは、伝送ジッタの低減のため、伝送レート制御規格（AV/C Command Set for Rate Control of Isochronous Data Flow 1.0）が採用されている。この規格の下では、伝送元（再生装置）は伝送先（ＡＶアンプ等）からのレート制御コマンドに基づいて伝送レートを制御する。これにより、伝送先と伝送元との間で信号処理のタイミングが一致し、伝送ジッタの低減、解消が可能となる。
【０００６】
しかし、このようなＡ＆Ｍプロトコルの下での伝送レート制御は、ＩＥＥＥ１３９４を介して接続された機器間においてのみ有効である。伝送レート制御可能なＩＥＥＥ１３９４に接続されている状態では、伝送先の機器からの制御に応じて、再生装置の動作タイミングが変化するため、ＨＤＭＩを介した他機器への音声信号の伝送も影響されてしまう。このため、従来の再生装置では、ＩＥＥＥ１３９４及びＨＤＭＩを介した他機器との同時接続を不可とし、いずれか一方のみをユーザが選択するよう構成されている。
【０００７】
このことに起因して、ＩＥＥＥ１３９４とＨＤＭＩ等の他のインタフェースを共に備える再生装置においては、これらを同時に接続した状態では再生時の音声信号出力に制限がある。例えば、再生装置がＨＤＭＩ及びＩＥＥＥ１３９４を介して同時に他機器に接続されている状態では、ＩＥＥＥ１３９４インタフェースが常に優先され、ＨＤＭＩインタフェースからは音声信号が出力されないように設定されている（例えば、非特許文献１及び２参照）。ＩＥＥＥ１３９４及びＨＤＭＩを共に接続した状態において、再生装置にＨＤＭＩで接続されたテレビから音声を聞きたい場合、ユーザはＧＵＩ（Graphical User Interface）等を介して、再生装置のＩＥＥＥ１３９４接続をＯＦＦに設定する必要がある。そして、この後に再生装置にＩＥＥＥ１３９４で接続されたＡＶアンプから音声を聞きたい場合は、再度ＩＥＥＥ１３９４接続をＯＮに設定し直す必要がある。
これは、ＨＤＭＩに限らず、ＩＥＥＥ１３９４とアナログ出力等の他のインタフェースを同時に接続する場合にも同様の問題が生じる。
【０００８】
【特許文献１】特開２００１−２０４０９１
【特許文献２】特開２００５−１８４０７９
【特許文献３】特表２００５−５２２９０３
【特許文献４】特開２００２−１９９４８７
【特許文献５】特開２００２−２９０４１１
【非特許文献１】取扱説明書（ＤＶＤ−Ａ１ＸＶ）、第２０頁［平成１７年１２月２０日検索］、インターネット＜ＵＲＬ：http://denon2.jp/manual/＞
【非特許文献２】取扱説明書（ＤＶ−Ｓ９６９ＡＶｉ）、第７２頁［平成１７年１２月２０日検索］、インターネット＜ＵＲＬ：http://www3.pioneer.co.jp/manual/manual_select.php?p_nm=DV-S969AVi-N＞
【発明の開示】
【発明が解決しようとする課題】
【０００９】
しかし、出力先およびその接続インタフェースに応じて、いちいち接続を切り替えることはユーザにとって非常に煩わしい。本発明は、Ａ＆Ｍプロトコルを用いるＩＥＥＥ１３９４と他の接続インタフェースとを備えた再生装置における上記問題点を解決することを目的とする。
【課題を解決するための手段】
【００１０】
上記目的を達成するため、本発明の第１の態様における再生装置は、Ａ＆Ｍプロトコルを用いるＩＥＥＥ（Institute of Electrical and Electronics Engineers）１３９４インタフェース部と、音声信号及び映像信号の少なくともいずれか一方を出力可能な他のインタフェース部と、前記ＩＥＥＥ１３９４インタフェース部から音声信号出力開始の制御コマンドを受け付けた場合に、前記ＩＥＥＥ１３９４インタフェース部から音声信号出力を可能とするとともに、前記他のインタフェース部からの信号出力を不可とするよう制御する制御部と、を備える。
【００１１】
上記構成において、前記制御部は、例えば、前記ＩＥＥＥインタフェース部からの音声信号出力が停止しているとき、前記ＩＥＥＥインタフェース部を音声信号出力不可とするよう制御する。
【００１２】
上記構成において、前記他のインタフェース部は、デジタルの音声及び映像信号とともに制御コマンドの転送が可能なインタフェースから構成されてもよく、前記ＩＥＥＥ１３９４インタフェース部及び前記他のインタフェース部のいずれか一方から音声信号出力開始の制御コマンドを受け付けた場合に、前記制御部は、該制御コマンドを受け付けた当該一方のインタフェース部からの音声信号出力を可能とするとともに、他方のインタフェース部からの音声信号出力を不可とするよう制御するようにしてもよい。
【００１３】
上記構成において、前記一方のインタフェース部からの音声信号出力中に、前記他方のインタフェース部から音声信号出力開始の制御コマンドを受け取ったとき、前記制御部は、前記他方のインタフェース部からの音声信号出力に切り替えるよう制御するようにしてもよい。
【００１４】
上記目的を達成するため、本発明の第２の態様における再生方法は、Ａ＆Ｍプロトコルを用いるＩＥＥＥ（Institute of Electrical and Electronics Engineers）１３９４インタフェースと、音声信号及び映像信号の少なくともいずれか一方を出力可能な他のインタフェースと、を備える再生装置における再生方法であって、前記ＩＥＥＥ１３９４インタフェースから音声信号出力開始の制御コマンドを受け付けた場合に、前記ＩＥＥＥ１３９４インタフェースから音声信号出力を可能とするとともに、前記他のインタフェースからの信号出力を不可とする。
【発明の効果】
【００１５】
本発明によれば、ＩＥＥＥ１３９４インタフェースと他のインタフェースとを備えた再生装置において、ユーザが出力インタフェースを切り替えなければならない煩雑さが解消される。
【発明を実施するための最良の形態】
【００１６】
本発明に係る実施の形態について、以下、図面を参照して詳細に説明する。以下では、本発明を記録媒体に記録されたデータを再生し、少なくとも再生した音声信号をＡＶ（Audio Visual）アンプ等にＩＥＥＥ１３９４を介して出力するとともに、ＨＤＭＩを介してＡＶアンプ、テレビジョン等に映像信号及び音声信号を出力する再生装置に適用した場合を例として説明する。なお、以下に示す実施の形態は一例であり、これに限定されない。
【００１７】
本発明の実施の形態に係る再生装置の構成を図１に示す。図１に示す再生装置１０は、再生部１２と、映像デコーダ１４と、音声デコーダ１６と、映像信号記憶部１８と、音声信号記憶部２０と、ＩＥＥＥ１３９４インタフェース部２２と、ＨＤＭＩインタフェース部２４と、制御部２６と、を備える。
【００１８】
再生部１２は、記録媒体から圧縮されたデジタル音声信号、或いは、デジタル音声信号及びデジタル映像信号を再生する。記録媒体は、ＳＡＣＤ、ＤＶＤ−Ａｕｄｉｏ、ブルーレイディスク（Blu-Ray Disc）、ＨＤ−ＤＶＤ（High-Definition DVD）等の光ディスクであってもよく、フラッシュメモリ、ＨＤ（Hard Disk）等の固定或いはリムーバブル媒体であってもよい。
【００１９】
映像デコーダ１４は、記録媒体から再生されたデジタル映像信号を図示しないリードバッファに記憶し、例えばＭＰＥＧ（Moving Picture Experts Group）方式の伸長プロトコルによりリードバッファに記憶されたデジタル映像信号をデコードする。
【００２０】
音声デコーダ１６は、再生部１２が再生したデジタル音声信号を図示しないリードバッファに記憶し、リードバッファに記憶されたデジタル音声信号をデコードする。記録媒体から読み出された信号が、リニアＰＣＭ（Pulse Code Modulation）のような非圧縮の信号であれば体裁を整えるのみで出力する。
【００２１】
映像信号記憶部１８は、映像デコーダ１４によりデコードされたデジタル映像信号を記憶する。映像信号記憶部１８に記憶されたデジタル映像信号は、所定の順番で、所定フレーム毎に読み出される。
【００２２】
音声信号記憶部２０は、音声デコーダ１６によりデコードされたデジタル音声信号を記憶する。音声信号記憶部２０に記憶されたデジタル音声信号は、所定の順番で順次読み出される。
【００２３】
ＩＥＥＥ１３９４インタフェース部２２は、ＩＥＥＥ−１３９４規格に準拠したデジタルインタフェースであり、シリアルバスを介して接続されるＡＶアンプ等とのインタフェースを構成する。詳細には、ＩＥＥＥ１３９４インタフェース部２２は、ＩＥＥＥ１３９４端子を備え、専用コネクタを備えたケーブルにより外部機器と接続される。
ＩＥＥＥ１３９４インタフェース部２２は、ＡＶアンプ等にデジタルの音声及び映像信号を出力可能である。また、逆に、ＩＥＥＥ１３９４インタフェース部２２は、ＡＶアンプ等の外部機器からの動作制御コマンドを受け付けて解析を行う。
【００２４】
ＩＥＥＥ１３９４インタフェース部２２は、Ａ＆Ｍプロトコルに従ったフォーマットにデジタル音声信号を変換し、伝送する。ＩＥＥＥ１３９４インタフェース部２２は、例えば、ＤＶＤ−Ａｕｄｉｏに記録されたマルチチャンネル音声信号をＡ＆Ｍプロトコルのフォーマットに変換し、ＡＶアンプ等に伝送する。Ａ＆Ｍプロトコルを用いることにより、高品質のマルチチャンネル音声信号をデジタル形式でＡＶアンプ等に伝送することが可能となる。
【００２５】
また、Ａ＆Ｍプロトコルを用いるＩＥＥＥ１３９４規格では、伝送ジッタの低減のため、伝送レート制御規格（AV/C Command Set for Rate Control of Isochronous Data Flow 1.0）が採用され、伝送元（再生装置１０）は伝送先（ＡＶアンプ等）からのレート制御コマンドに基づいて伝送レートを制御する。これにより、伝送先と伝送元との間で信号処理のタイミングが一致し、低ジッタ又はジッタレスの信号伝送が可能となる。
【００２６】
ＨＤＭＩインタフェース部２４は、ＨＤＭＩ規格に準拠したデジタルインタフェースであり、シリアルバスを介して接続されるＡＶアンプ等とのインタフェースを構成する。詳細には、ＨＤＭＩインタフェース部２４は、ＨＤＭＩ端子を備え、専用コネクタを備えたケーブルによりＡＶアンプやテレビジョン等の外部機器と接続される。
ＨＤＭＩインタフェース部２４は、ＡＶアンプ等にデジタルの音声及び映像信号を出力可能である。また、逆に、ＨＤＭＩインタフェース部２４は、ＡＶアンプ等の外部機器からの動作制御コマンドを受け付けて解析を行う。
【００２７】
ＩＥＥＥ１３９４インタフェース部２２と、ＨＤＭＩインタフェース部２４とは、同一の外部機器に接続されていてもよく、それぞれ別の外部機器に接続されていてもよい。
【００２８】
制御部２６は、再生装置１０の動作を総括的に制御する。制御部２６は、記録媒体に記録された音声及び映像信号を再生し、ＡＶアンプ等に出力（伝送）するよう制御する。
制御部２６は、ＩＥＥＥ１３９４インタフェース部２２及びＨＤＭＩインタフェース部２４という異なる２つの通信プロトコルに基づく制御コマンドを受け付け、外部機器から動作制御可能に構成されている。
【００２９】
以下、上記構成の再生装置１０の動作について、図面を参照して詳細に説明する。図２に、本例における再生装置１０の動作を説明するフローチャートを示す。なお、以下に示す例は一例であり、同様の結果が得られるものであれば、これに限られない。
【００３０】
再生装置１０の起動中、制御部２６は、ＩＥＥＥ１３９４インタフェース部２２を介した外部機器との接続の有無を検出する（ステップＳ１１）。例えば、制御部２６は、ＩＥＥＥ１３９４インターフェース部２２を介して外部機器とコネクションが確立されているか否かを確認する。
【００３１】
制御部２６は、ＩＥＥＥ１３９４インタフェース部２２に外部機器が接続されている状態で（ステップＳ１１：ＹＥＳ）、ＩＥＥＥ１３９４インタフェース部２２から出力開始を指示する制御コマンドが入力されたとき（ステップＳ１２：ＹＥＳ）、ＩＥＥＥ１３９４インタフェース部２２からの音声信号出力を可能に制御するとともに、他のインタフェース（ＨＤＭＩインタフェース部２４）からの音声信号出力を不可に制御する（ステップＳ１３）。具体的には、制御部２６は、ＩＥＥＥ１３９４インタフェース用回路の動作をオンとするとともに、ＨＤＭＩインタフェース回路の動作をオフにする。ＩＥＥＥ１３９４及び／又はＨＤＭＩインタフェース専用の電源を有する場合には、当該電源をオン／オフにするようにしてもよい。
【００３２】
その後、制御部２６は、再生部１２等を制御してＩＥＥＥ１３９４インタフェース部２２を介した音声信号の出力を開始する（ステップＳ１４）。
【００３３】
このとき、制御部２６は、Ａ＆Ｍプロトコルを用いた信号伝送を行うようＩＥＥＥ１３９４インタフェース部２２を制御する。Ａ＆Ｍプロトコルを用いることにより、高品質のデジタル音声信号伝送が可能となる。ここで、伝送ジッタの低減のために伝送レート制御規格を用いているので、制御部２６は、外部機器からのレート制御コマンドに基づいて動作タイミングを変化させる。なお、制御部２６は、ＤＶＤ−Ａｕｄｉｏ、ＳＡＣＤ等に記録された、高忠実度のマルチチャンネル音声信号を出力する場合に、Ａ＆Ｍプロトコルに基づいて処理するようにしてもよい。
【００３４】
制御部２６は、ＩＥＥＥ１３９４インタフェース部２２に外部機器が接続されていないと判別したとき（ステップＳ１１：ＮＯ）、ＩＥＥＥ１３９４インタフェース部２２からの音声信号出力を不可に制御するとともに、他のインタフェース（ＨＤＭＩインタフェース部２４）からの音声信号出力を可能に制御する（ステップＳ１６）。具体的には、制御部２６は、ＩＥＥＥ１３９４インタフェース用回路の動作をオフとするとともに、ＨＤＭＩインタフェース回路の動作をオンにする。ＩＥＥＥ１３９４及び／又はＨＤＭＩインタフェース専用の電源を有する場合には、当該電源をオフ／オンにするようにしてもよい。
【００３５】
ＩＥＥＥ１３９４インタフェース部２２に外部機器が接続されていない状態で、他インタフェース（ＨＤＭＩ）から出力開始を指示する制御コマンドが入力されたとき（ステップＳ１７：ＹＥＳ）、再生部１２等を制御して音声信号の出力を開始する（ステップＳ１４）。
【００３６】
出力開始指示が無ければ（ステップＳ１７：ＮＯ）、ＩＥＥＥ１３９４インタフェース部２２の接続監視状態（ステップＳ１１）に戻る。したがって、ＩＥＥＥ１３９４インタフェース部２２に外部機器が接続されていない状態では、常にＩＥＥＥ１３９４インタフェース部２２から音声信号は出力されない。このため、ＩＥＥＥ１３９４のＡ＆Ｍプロトコルにおいて採用されている伝送レート制御による動作タイミングの変動が、他のインタフェース（ＨＤＭＩ）を介した信号出力に影響を与えることは確実に防がれる。
【００３７】
再生すべきデータの終了、再生終了の指示があったとき、制御部２６は再生を停止する（ステップＳ１５）。その後、処理は、ＩＥＥＥ１３９４インタフェース部２２への接続監視状態（ステップＳ１１）に戻る。
【００３８】
なお、再生途中で伝送インタフェースを変更するには、一旦現在のインタフェースからの出力を停止させ、その後、外部機器において接続インタフェースを変更して再度出力を開始すればよい。例えば、ＡＶアンプのＧＵＩにおいて接続を「ＩＥＥＥ１３９４」から「ＨＤＭＩ」を変更すれば、ＡＶアンプから再生装置１０に伝送される制御コマンドは変化し、再生装置１０は制御コマンドに応じて伝送インタフェースを自動的に切り替える。また、ＩＥＥＥ１３９４インタフェースとＨＤＭＩとを介してそれぞれ複数の外部機器に接続されている場合には、各外部機器毎に設定を変更する、或いは、オフとすることにより、変更することが可能である。
【００３９】
以上説明したように、本実施の形態によれば、ＩＥＥＥ１３９４インタフェースを介して外部機器が接続されている場合には、自動的に他のインタフェース（ＨＤＭＩ）からの音声信号出力を不可とし、ＩＥＥＥ１３９４インタフェースからのみ音声信号出力を可能とする。また、他のインタフェースを介して外部機器に接続されている場合には、自動的にＩＥＥＥ１３９４インタフェースからの音声信号出力を不可とし、他のインタフェースからの音声信号出力を可能とする。
【００４０】
したがって、上記実施の形態では、ＩＥＥＥ１３９４を介した外部機器との接続状態に応じて自動的に音声出力の設定がされ、伝送先に応じて伝送インタフェースを設定しなければならないユーザの煩わしさを解消することができる。
また、ＩＥＥＥ１３９４インタフェースを介した音声信号出力を不可とする場合、ＩＥＥＥ１３９４インタフェース回路電源をオフにする場合には、消費電力を低減することも可能になる。
【００４１】
（他の実施の形態）
上記実施の形態では、ＩＥＥＥ１３９４インタフェースへの外部機器の接続を監視して、その接続状態に応じて伝送インタフェースを設定するものとした。しかし、これに限らず、デフォルトでＩＥＥＥ１３９４インタフェースを介した音声信号出力を不可とし、他のインタフェースを介した音声信号出力を可能とする設定としてもよい。この場合の再生装置１０の動作の一例を説明するフローチャートを図３に示す。
【００４２】
図３に示す例において、制御部２６は、ＩＥＥＥ１３９４インタフェース部２２からの信号出力が停止した状態では、常にＩＥＥＥ１３９４インタフェース部２２からの音声信号出力を不可とし、かつ、他のインタフェースからの音声信号出力を可能に設定する（ステップＳ２１）。
【００４３】
ＩＥＥＥ１３９４インタフェース部２２を介して外部機器から出力開始を指示する制御コマンドを受け付けたときにのみ（ステップＳ２２：ＹＥＳ）、制御部２６は、ＩＥＥＥ１３９４インタフェース部２２からの音声信号出力を可能とし、他のインタフェースからの音声信号出力を可能にするよう制御する（ステップＳ２３）。次いで、制御部２６は、再生部１２等を制御してＩＥＥＥ１３９４インタフェース部２２からの音声信号出力を開始する（ステップＳ２４）。その後、再生すべきデータが終了した場合等には、出力を停止し（ステップＳ２５）、再び、ＩＥＥＥ１３９４インタフェース部２２からの音声信号出力を不可に設定する（ステップＳ２１）。
【００４４】
また、上記実施の形態では、ＩＥＥＥ１３９４インタフェースと組み合わせる他のインタフェースとして、デジタル音声／映像と制御コマンドを送受信可能なＨＤＭＩインタフェースを備えた再生装置１０を例として説明した。しかし、本発明は、アナログ信号伝送用インタフェース及び／または制御コマンドの送受信を行わないインタフェース或いはこれらの組み合わせと、ＩＥＥＥ１３９４インタフェースとを備えた再生装置１０に適用可能である。
具体的には、ＩＥＥＥ１３９４インタフェースと組み合わせる他のインタフェースは、ステレオ音声信号端子、色差入力端子等のアナログ信号出力端子、光軸ケーブル端子、同軸ケーブル端子等のデジタル信号出力端子、或いはこれらを複数組み合わせたものであってもよい。
【図面の簡単な説明】
【００４５】
【図１】本発明の実施の形態にかかる再生装置の構成を示すブロック図である。
【図２】本発明の実施の形態にかかる再生装置の動作を説明するフローチャートを示す図である。
【図３】本発明の他の実施の形態にかかる再生装置の動作を説明するフローチャートを示す図である。
【符号の説明】
【００４６】
１０：再生装置、２２：ＩＥＥＥ１３９４インタフェース部、２４：ＨＤＭＩインタフェース部、２６：制御部
【図１】
2007200415.tif 000003
【図２】
2007200415.tif 000004
【図３】
2007200415.tif 000005